(57)【要約】【課題】各部や個々の高精度な加工が不要で、互いのレンズの光軸と距離を容易に設定でき、レンズ相互間の光軸と位置関係を同時に高精度で位置決めすることが出来るレンズの位置決め方法およびそれを用いた光学装置を提供することを目的とするものである。【解決手段】鏡筒４と、鏡筒内に収納されるコバ外周部のリブ内壁部に光軸１０を中心とした角錐体１１の角錐面の一部を有する第１のレンズ１と、コバ外周部のリブ外壁部に光軸１０を中心として前記角錐面と面状で当接する角錐面の一部を有する第２のレンズ２を含む少なくとも２つ以上のレンズでなり、第１のレンズ１を鏡筒４に挿入して位置決めした後、第２のレンズ２を挿入し、それぞれの角錐面の一部を当接させて光軸１０と光軸方向の位置決めをする。【選択図】図１
2006084621.tif 000002
【特許請求の範囲】
【請求項１】
コバ外周部のリブ内壁部に光軸を中心とした角錐面の一部を有する第１のレンズと、コバ外周部のリブ外壁部に光軸を中心として前記角錐面の一部と面状で当接する角錐面の一部を有する第２のレンズを含む少なくとも２つ以上のレンズを鏡筒内に収納し、第１のレンズを鏡筒に挿入して鏡筒内の受け面に当接させて光軸方向の位置決めをした後に、第２のレンズを挿入してそれぞれの角錐面の一部を当接させて光軸および光軸方向の位置決めをするレンズ位置決め方法。
【請求項２】
鏡筒と、その鏡筒内に収納される少なくとも２つ以上のレンズからなり、コバ外周部のリブ内壁部に光軸を中心とした角錐面の一部を有する第１のレンズと、コバ外周部のリブ外壁部に光軸を中心として前記角錐面の一部と面状で当接する角錐面の一部を有する第２のレンズが、それぞれの角錐面の一部を当接させて光軸および光軸方向の位置決めをした状態にて鏡筒内に固定されてなる光学装置。
【請求項３】
請求項２に記載の光学装置において、コバ外周部のリブ内壁部に光軸を中心とした角錐面の一部を有する第３のレンズを有し、第２のレンズは角錐面の一部が設けられている反対側にコバ外周部のリブ内壁部に、前記第３のレンズにおける角錐面の一部と面状で当接する角錐面の一部を有し、前記第１、第２および第３のレンズが、それぞれの角錐面の一部を当接させて光軸および光軸方向の位置決めをした状態にて鏡筒内に固定されてなる光学装置。
【請求項４】
第１のレンズは光軸方向においてのみ鏡筒内の受け面に当接し、前記第１レンズの直径方向には、クリアランスを有することを特徴とする請求項２あるいは３に記載の光学装置。
【請求項５】
角錐面の一部がレンズのコバ円周方向の複数箇所に設けられていることを特徴とする請求項２〜３のいずれか１つに記載の光学装置。
【請求項６】
第２のレンズあるいは第３のレンズが、鏡筒の内壁に接着剤で固定されていることを特徴とする請求項２〜５のいずれか１つに記載の光学装置。
【請求項７】
鏡筒における内壁のテーパ面と、前記鏡筒内に収納される１つあるいは２つ以上のレンズにおけるコバ外周部のリブ外周のテーパ面との当接のみで光軸および光軸方向の位置決めをするレンズ位置決め方法。
【請求項８】
内壁にテーパ面を有する鏡筒と、コバ外周部のリブ外周に前記鏡筒と同じテーパ面を有する１つあるいは２つ以上のレンズからなり、鏡筒の内壁のテーパ面と前記レンズにおけるコバ外周部のテーパ面を当接させて、光軸および光軸方向の位置決めをした状態にて鏡筒内に前記レンズが固定されてなる光学装置。
【請求項９】
３０度以上の傾斜でなるテーパ面とした請求項８に記載の光学装置。
【請求項１０】
鏡筒における内壁のテーパ面とレンズにおけるコバ外周部のリブ外周のテーパ面のみを接着固定してなる請求項８あるいは９に記載の光学装置。
【請求項１１】
鏡筒における内壁のテーパ面とレンズにおけるコバ外周部のリブ外周のテーパ面に接着剤を供給する注入孔を鏡筒に設けてなる請求項８〜１０のいずれか１つに記載の光学装置。
【請求項１２】
接着剤の注入孔は鏡筒における内壁のテーパ面に対して垂直に配設してなる請求項１１に記載の光学装置。
【請求項１３】
接着剤の注入孔は光軸を中心の円周上に対称で複数個を鏡筒に設けてなる請求項１１〜１２のいずれか１つに記載の光学装置。
【発明の詳細な説明】
【技術分野】
【０００１】
本発明は、複数のレンズ相互間の光軸と位置関係を、容易かつ確実に設定するレンズ位置決め方法およびそれを用いた光学装置に関するものである。
【背景技術】
【０００２】
従来、複数のレンズを鏡筒内に位置決めする場合、互いのレンズにおける光軸方向の距離や光軸の位置合わせは、鏡筒における鏡筒内面にそれぞれのレンズを当接させて設定を行う場合が多い。
【０００３】
図４は、一般的に行われる複数のレンズの位置決めにおける鏡筒内でのレンズの位置関係を示す要部構成断面図である。
【０００４】
２１、２２は光学系のレンズであり、レンズ２１は外円周に光軸１０に垂直なコバ面２１ａと、外周部に光軸１０に平行な外周面２１ｂを有し、同じくレンズ２２にも光軸１０に垂直なコバ面２２ａと、外周部に光軸に平行な外周面２２ｂを有している。
【０００５】
２４はレンズ２１、２２を保持する鏡筒であって、レンズ２１のコバ面２１ａと当接する受け面２４ａとレンズ２２のコバ面２２ａと当接する受け面２４ｃ部分を有している。
【０００６】
レンズ２１の外周面２１ｂと鏡筒２４の内周面２４ｂを、さらにレンズ２２の外周面２２ｂと鏡筒２４の内周面２４ｄをそれぞれ当接させることにより、レンズ２１およびレンズ２２の中心が光軸１０と一致するように構成されている。
【０００７】
また、レンズ２１、レンズ２２が鏡筒２４に組み込まれた状態においては、レンズ２１のコバ面２１ａと鏡面２４の受け面２４ａが当接することにより、レンズ２１とレンズ２２の位置関係が決定される。
【０００８】
なお、この出願に関する先行技術文献情報としては、例えば、特許文献１が知られている。
【特許文献１】特開平８−２７１７７５号公報
【発明の開示】
【発明が解決しようとする課題】
【０００９】
しかしながら、前記従来のレンズ位置決め方法においては、レンズの外形と鏡筒の内径を当接させて光軸と垂直方向の位置決めを行っているため、個々のレンズ外周部とコバの厚みおよび鏡筒の内径の精度を高精度に加工および保持する必要があり、複数のレンズの光軸を合致させ、かつ互いに対向するレンズの位置関係を決定（設定）するためには、個々のレンズの位置決め部位で鏡筒の内径精度とレンズの外形精度、すなわち複数の構成部品において各々精度が必要であるという課題を有していた。
【００１０】
本発明は、前記従来の課題を解決しようとするものであり、レンズの外形や鏡筒の内径における各部かつ個々の高精度な加工が不要で、鏡筒内において容易に光軸方向に重なる複数のレンズの位置関係を決定（設定）することが出来るレンズの位置決め方法およびそれを用いた光学装置を提供することを目的とするものである。
【課題を解決するための手段】
【００１１】
前記目的を達成するために、本発明は以下の構成を有する。
【００１２】
本発明の請求項１に記載の発明は、特に、コバ外周部のリブ内壁部に光軸を中心とした角錐面の一部を有する第１のレンズと、コバ外周部のリブ外壁部に光軸を中心として前記角錐面の一部と面状で当接する角錐面の一部を有する第２のレンズを含む少なくとも２つ以上のレンズを鏡筒内に収納し、第１のレンズを鏡筒に挿入して鏡筒内の受け面に当接させて光軸方向の位置決めをした後に、第２のレンズを挿入してそれぞれの角錐面の一部を当接させて光軸および光軸方向の位置決めをするレンズ位置決め方法であり、これにより、第１のレンズに第２のレンズを押し当てることにより、容易かつ高精度に光軸と光軸方向の位置決めをすることができるという作用効果を有する。
【００１３】
請求項２に記載の発明は、特に、鏡筒と、その鏡筒内に収納される少なくとも２つ以上のレンズからなり、コバ外周部のリブ内壁部に光軸を中心とした角錐面の一部を有する第１のレンズと、コバ外周部のリブ外壁部に光軸を中心として前記角錐面の一部と面状で当接する角錐面の一部を有する第２のレンズが、それぞれの角錐面の一部を当接させて光軸および光軸方向の位置決めをした状態にて鏡筒内に固定されてなる構成としたものであり、これにより、容易にかつ高精度の光軸と光軸方向の位置決めがなされた光学装置が実現できるという作用効果を有する。
【００１４】
請求項３に記載の発明は、特に、コバ外周部のリブ内壁部に光軸を中心とした角錐面の一部を有する第３のレンズを有し、第２のレンズは角錐面の一部が設けられている反対側にコバ外周部のリブ内壁部に、前記第３のレンズにおける角錐面の一部と面状で当接する角錐面の一部を有し、前記第１、第２および第３のレンズが、それぞれの角錐面の一部を当接させて光軸および光軸方向の位置決めをした状態にて鏡筒内に固定されてなる構成としたものであり、これにより、構成するレンズが３枚以上でも、容易かつ高精度で光軸と光軸方法の位置決めがなされた光学装置が実現できるという作用効果を有する。
【００１５】
請求項４に記載の発明は、特に、第１のレンズは光軸方向においてのみ鏡筒内の受け面に当接し、前記第１レンズの直径方向には、クリアランスを有する構成としたものであり、これにより、レンズ外周や鏡筒の内周に高精度寸法の加工が不要であるという作用効果を有する。
【００１６】
請求項５に記載の発明は、特に、角錐面の一部がレンズのコバ円周方向の複数箇所に設けられている構成としたものであり、これにより、各レンズを押し当てるだけで容易かつ高精度に光軸と光軸方向の位置決めをすることができ、さらにレンズの回転防止、回転方向に対する位置決めができるという作用効果を有する。
【００１７】
請求項６に記載の発明は、特に、第２のレンズあるいは第３のレンズが、鏡筒の内壁に接着剤で固定されている構成としたものであり、これにより、レンズを容易かつ確実に鏡筒内に固定できるという作用効果を有する。
【００１８】
請求項７に記載の発明は、特に、鏡筒における内壁のテーパ面と、前記鏡筒内に収納される１つあるいは２つ以上のレンズにおけるコバ外周部のリブ外周のテーパ面との当接のみで光軸および光軸方向の位置決めをするレンズ位置決め方法としたものであり、これにより、テーパ面の設定加工により一義的に設定でき、容易かつ高精度に光軸と光軸方向の位置決めをすることができるという作用効果を有する。
【００１９】
請求項８に記載の発明は、特に、内壁にテーパ面を有する鏡筒と、コバ外周部のリブ外周に前記鏡筒と同じテーパ面を有する１つあるいは２つ以上のレンズからなり、鏡筒の内壁のテーパ面と前記レンズにおけるコバ外周部のテーパ面を当接させて、光軸および光軸方向の位置決めをした状態にて鏡筒内に前記レンズが固定されてなるという構成としたものであり、これにより、高精度の設定加工がテーパ面のみでよく、容易にかつ高精度の光軸と光軸方向の位置決めがなされた光学装置が実現できるという作用効果を有する。
【００２０】
請求項９に記載の発明は、特に、３０度以上の傾斜でなるテーパ面とする構成としたものであり、これにより、レンズの挿入設定が確実となり、容易かつ高精度で光軸と光軸方向の位置決めがなされた光学装置が実現できるという作用効果を有する。
【００２１】
請求項１０に記載の発明は、特に、鏡筒における内壁のテーパ面とレンズにおけるコバ外周部のリブ外周のテーパ面のみを接着固定してなるという構成としたものであり、これにより、接着固定が必要最小限でかつ確実にでき、容易かつ高精度で光軸と光軸方向の位置決めがなされた光学装置が実現できるという作用効果を有する。
【００２２】
請求項１１に記載の発明は、特に、鏡筒における内壁のテーパ面とレンズにおけるコバ外周部のリブ外周のテーパ面に接着剤を供給する注入孔を鏡筒に設けてなるという構成としたものであり、これにより、接着剤が容易かつ必要箇所に注入硬化ができ、容易かつ高精度で光軸と光軸方向の位置決めがなされた光学装置が実現できるという作用効果を有する。
【００２３】
請求項１２に記載の発明は、特に、接着剤の注入孔は鏡筒における内壁のテーパ面に対して垂直に配設してなるという構成としたものであり、これにより、接着剤の注入経路が最短でかつ均一な注入硬化ができ、容易かつ高精度で光軸と光軸方向の位置決めがなされた光学装置が実現できるという作用効果を有する。
【００２４】
請求項１３に記載の発明は、特に、接着剤の注入孔は光軸を中心の円周上に対称で複数個を鏡筒に設けてなるという構成としたものであり、これにより、レンズを均等でかつ確実強固に鏡筒へ固定する事ができ、容易かつ高精度で光軸と光軸方向の位置決めがなされた光学装置が実現できるという作用効果を有する。
【発明の効果】
【００２５】
以上のように本発明のレンズ位置決め方法およびそれを用いた光学装置によれば、コバ外周部のリブ内壁部に光軸を中心とした角錐面を有する第１のレンズを鏡筒内の受け面に当接させ、次いで、この鏡筒内にコバ外周部のリブ外壁部に光軸を中心とした角錐面を有する第２のレンズを挿入することでレンズは鏡筒に対して嵌合を行うことなしに、第１のレンズと第２のレンズを鏡筒内に順次挿入する構成であり、互いにレンズの光軸と距離を容易に設定でき、レンズ相互間の光軸と位置関係を簡単かつ同時に高精度で位置決めすることが出来るという効果が得られる。
【発明を実施するための最良の形態】
【００２６】
以下、本発明における実施の形態について図面を用いて説明する。図１は本発明の実施の形態における鏡筒内の構成要部断面図、図２は同構成レンズの要部斜視図である。
【００２７】
なお、背景技術で説明した構成部材については同一の符号を付与し、詳細な説明は省略する。
【００２８】
（実施の形態１）
図１において、１および２はガラスやプラスチック材などでなる光学系のレンズ、４はレンズ１、レンズ２を設定保持する鏡筒（あるいは鏡筒の一部）であり、熱的、物理的、化学的および機械的に優れた硬質樹脂や金属材あるいはそれらの合金や複合材でなっている。
【００２９】
第１のレンズであるレンズ１は、コバ外周部のリブ内壁部に光軸１０を中心とした、例えば三角〜六角などの角錐体１１における辺面（角錐面）の一部である内周錐面１ｂを有し、第２のレンズであるレンズ２は、コバ外周部のリブ外壁部に光軸１０を中心とし、レンズ１と同じ角錐体１１における辺面（角錐面）の一部である外周錐面２ａを有しており、互いの角錐体１１における辺面（角錐面）の一部である内周錐面１ｂと外周錐面２ａが当接し鏡筒４の中（一端部）に収納されている。
【００３０】
５はレンズ２と鏡筒４を固定維持する接着剤であり、レンズ１と鏡筒４は光軸１０方向においてのみレンズ１のコバ面１ａと鏡筒４の受け面４ａが当接し、光軸１０と垂直方向（レンズ１の直径方向）にはクリアランスを有している。
【００３１】
前記におけるレンズ位置決め方法としては、まずレンズ１を鏡筒４の右側（開放部）より鏡筒４の中に挿入し、次にレンズ２を同じく鏡筒４の中に挿入する。
【００３２】
このときレンズ１、レンズ２をその外周部で鏡筒４に嵌合させたり圧入したりすると、レンズ１、レンズ２に変形を生ずる可能性があるため、レンズ１、レンズ２の外形（外周）は鏡筒４の内径よりやや小さくしてある。
【００３３】
このため、鏡筒４の中にレンズ１、レンズ２を順次に挿入し、レンズ２のコバ外周部に矢印の右方向より荷重を加えると、レンズ１のコバ面１ａが鏡筒４の受け面４ａに当接し、かつレンズ２の外周錐面２ａ（角錐面の一部）がレンズ１の内周錐面１ｂ（角錐面の一部）に規制され、レンズ２は光軸１０とは垂直方向へ移動し微調整されて、レンズ１、レンズ２の中心が光軸１０と一致した状態となるのである。
【００３４】
その後、鏡筒４の挿入部に化学的、熱的あるいは紫外線硬化型の接着剤５を注入して硬化させることにより、レンズ２のコバ外周部と鏡筒４とが固定されて完成した状態を得るのである。
【００３５】
第１のレンズであるレンズ１は接着剤５などにより鏡筒４に直接固定されてはいないが、第２のレンズであるレンズ２のコバ部における外周錐面２ａと鏡筒４の受け面４ａに挟持され固定されるため、その光軸１０の方向位置がずれることはない。
【００３６】
また、図２に示すように、光軸１０を中心とした角錐体１１における辺面の一部である内周錐面１ｂ（角錐面の一部）が、レンズ１のコバ外周部リブ部に設けられた凹部底面に複数形成されている場合には、光軸１０を中心とした角錐体１１における辺面の一部である外周錐面２ａ（角錐面の一部）は、レンズ２のコバ外周部のリブ部に設けられた凸部表面に前記と対応した複数形成されている。
【００３７】
また、逆に内周錐面１ｂがレンズ１のコバ外周部のリブ部に設けられた凸部表面に複数形成されている場合には、外周錐面２ａはレンズ２のコバ外周部のリブ部に設けられた凹部底面に前記と対応した複数形成されている。
【００３８】
そして、なおかつ前記の凹部と凸部の幅を適度な嵌合寸法とすれば、レンズ１とレンズ２が組合わさった場合にレンズ１の回動を防止でき、レンズ１の収差の影響を最小限にすることができる。
【００３９】
前記のようなレンズ相互間におけるレンズ位置決め方法によれば、レンズは鏡筒に対して嵌合を行うことなしに、第１のレンズと第２のレンズを鏡筒内に順次挿入するだけで相互のレンズの光軸と距離（位置）を決めることができ、レンズの外形や鏡筒の内径など各部かつ個々を高精度加工することなく、高精度でレンズ相互間の光軸と位置関係を同時に位置決めすることが出来るのである。
【００４０】
（実施の形態２）
図３は、他の実施の形態における鏡筒内の構成要部断面図である。図３において、３はガラスやプラスチック材などである光学系のレンズであり、第３のレンズであるレンズ３はコバ外周部のリブ内壁部に光軸１０を中心とした角錐体１１２における辺面（角錐面）の一部である外周錐面３ａを有し、かつ内周部には光軸１０を中心とした角錐体１１３における辺面（角錐面）の一部である内周錐面３ｂを有している。
【００４１】
レンズ１はコバ外周部のリブ内壁部に光軸１０を中心とした角錐体１１１における辺面（角錐面）の一部である内周錐面１ｂを有し、レンズ２はコバ外周部のリブ外壁部にはレンズ１と同じく光軸１０を中心とした角錐体１１１における辺面（角錐面）の一部である外周錐面２ａを有し、かつその外周錐面２ａと反対側にコバ外周部のリブ内壁部に光軸１０を中心とした角錐体１１２における辺面（角錐面）の一部である内周錐面２ｂを有している。
【００４２】
レンズ１、２およびレンズ３は、コバの角錐体における辺面（角錐面）の一部が互いに当接し鏡筒４の中に収納されている。そして、前記と同じく接着剤５でレンズ３を鏡筒４の内壁に固定しており、また、レンズ１と鏡筒４は光軸１０方向においてのみレンズ１のコバ面１ａと鏡筒４の受け面４ａが当接し、光軸１０と垂直方向（径方向）にはクリアランスを有している。
【００４３】
前記におけるレンズ位置決め方向としては、まず第１のレンズであるレンズ１を鏡筒４の右側（開放部）より鏡筒４の中に挿入し、次に第２のレンズであるレンズ２、第３のレンズであるレンズ３を同じようにして順次鏡筒４の中に挿入する。
【００４４】
このときレンズ１、レンズ２およびレンズ３をその外周部で鏡筒４に嵌合させたり圧入したりすると、レンズ１、レンズ２およびレンズ３に変形や損傷を生ずる可能性があるため、レンズ１、レンズ２およびレンズ３の外形（外円周）は鏡筒４の内径より少し小さくしてある。
【００４５】
このため、鏡筒４の中にレンズ１、レンズ２およびレンズ３を順次に挿入し、レンズ３のコバ外周部に図３の右方向（矢印）より荷重を加えるとレンズ１、レンズ２が鏡筒４の受け面４ａとレンズ３の外周錐面３ａ（角錐面の一部）に規制され、レンズ１、レンズ２およびレンズ３は光軸１０とは垂直方向へ移動し微調整されて、レンズ１、レンズ２およびレンズ３の中心が光軸１０と一致した状態となるのである。
【００４６】
その後、鏡筒４の挿入部に接着剤５を注入して硬化させることにより、レンズ３のコバ外周部と鏡筒４とが固定されて、図３に示す完成した状態を得るのである。
【００４７】
レンズ１、レンズ２は接着剤５により鏡筒４に直接固定されてはいないが、レンズ３のコバ部の外周錐面３ａと鏡筒４の受け面４ａに挟み込まれているためその光軸方向の位置がずれることはない。
【００４８】
また、実施の形態１と同様に複数の角錐面の一部（内周錐面あるいは外周錐面）が各レンズのコバ外周部のリブ部に設けられた凹部底面あるいは凸部表面に形成されている場合は、レンズ１、レンズ２およびレンズ３が組合わさった場合にレンズ１、レンズ２の回動を防止でき、レンズ１、レンズ２の収差の影響を最小限にすることができる。
【００４９】
（実施の形態３）
図５は他の実施の形態における鏡筒内の構成要部断面図、図６は同鏡筒内における接着剤の注入孔構成要部断面図そして図７は同構成概要部分正面図である。
【００５０】
図５において、３１はレンズ（第１のレンズ）、３２はレンズ（第２のレンズ）、１４は鏡筒であり、鏡筒１４の内壁（内面）は光軸１０に対して３０度以上（例えば３５度）の傾斜でなるテーパ面１５と成っている。
【００５１】
そして、レンズ３１、およびレンズ３２のコバ外周部のリブ外壁部である外周面３１ａおよび３２ａは、直径（外径）が３２ａ＞３１ａ（外周面３２ａの外径は、外周面３１ａのそれより大きい）であり、前記テーパ面１５と同じ傾斜のテーパ面となっているのである。
【００５２】
レンズ位置決め方法としては、まずレンズ３１を鏡筒１４の右側（開放部）より鏡筒１４の中に挿入し、次にレンズ３２を同じく鏡筒１４の中に挿入する。
【００５３】
すなわち、鏡筒１４の中にレンズ３１、レンズ３２を順次に荷重を加えて挿入すると、レンズ３２の外周でレンズ３１の外周を当接あるいは押圧し、かつレンズ３１の外周面３１ａおよびレンズ３２の外周面３２ａが鏡筒１４の内壁（内面）のテーパ面１５に当接して、あらかじめ調整設定されかつ加工されたテーパ面により規制されて、Ｘ、ＹおよびＺ方向の３次元におけるレンズ３１、レンズ３２の中心が光軸１０と一致した状態となるのである。
【００５４】
その後、鏡筒１４の挿入部に化学的、熱的あるいは紫外線硬化型の接着剤５を注入して硬化させることにより、レンズ３２のコバ外周部と鏡筒１４とが固定されて、レンズ３１およびレンズ３２が光軸１０と光軸方向の位置決めがなされた完成状態を得るのである。
【００５５】
なお、必要に応じてレンズ３１の挿入後、接着剤５を注入してレンズ３１をも固定する方法としても良い。
【００５６】
接着剤注入および硬化によるレンズの鏡筒への他の固定方法としては、図６に示すように、レンズ４１の外周面４１ａおよびレンズ４２の外周面４２ａと当接する光軸１０との傾斜α（３０度以上）のテーパ面４５を有する鏡筒４４に、一端（先端）が外周面４１ａおよび外周面４２ａの幅中央に位置し、光軸１０と垂直な接着剤５の注入孔４７、あるいはテーパ面４５と垂直な接着剤５の注入孔４６を、例えば図７に示すように光軸１０を中心とした円周上でかつ対称の配置で複数（本実施の形態では８個）設ける。
【００５７】
そして、レンズ４１およびレンズ４２を鏡筒４の右側（開放部）より順次に荷重を加えて挿入した後、注入孔４６および注入孔４７に接着剤５を注入し硬化させることにより、接着剤５が各テーパ面のみに施され、レンズ４１およびレンズ４２が鏡筒４４に固定され、レンズ３１およびレンズ３２が光軸１０と光軸方向の位置決めがなされた完成状態を得るのである。
【００５８】
以上前記のようなレンズ位置決め方法およびそれを用いた光学装置によれば、レンズは鏡筒に対して嵌合を行うことなしに第１のレンズと第２以降のレンズを鏡筒の中に順次に荷重挿入するだけで相互のレンズの光軸と距離を設定し固定することができ、高精度でレンズ相互間の光軸と位置関係を同時に位置決めし設定することが出来るのである。
【産業上の利用可能性】
【００５９】
本発明にかかるレンズ位置決め方法およびそれを用いた光学装置は、鏡筒の中に順次に荷重挿入するだけで相互のレンズの光軸と距離を設定し固定することができ、互いのレンズの光軸と距離を容易に設定でき、レンズ相互間の光軸と位置関係を同時に高精度で位置決めすることが出来るという効果を有し、民生あるいは産業用の各種小型光学機器などの用途として有用である。
【図面の簡単な説明】
【００６０】
【図１】本発明の実施の形態における鏡筒内の構成要部断面図
【図２】（ａ）、（ｂ）同構成レンズの要部斜視図
【図３】同他の実施の形態における鏡筒内の構成要部断面図
【図４】従来の複数のレンズの位置決めにおける鏡筒内でのレンズの位置関係を示す要部構成断面図
【図５】本発明の他の実施の形態における鏡筒内の構成要部断面図
【図６】同鏡筒内における接着剤の注入孔構成要部断面図
【図７】同構成概要部分正面図
【符号の説明】
【００６１】
１、３１、４１  レンズ（第１のレンズ）
１ａ、２１ａ、２２ａ  コバ面
１ｂ、２ｂ、３ｂ  内周錐面（角錐面）
２、３２、４２  レンズ（第２のレンズ）
２ａ、３ａ  外周錐面（角錐面）
３  レンズ（第３のレンズ）
４、１４、２４、４４  鏡筒
４ａ、２４ａ、２４ｃ  受け面
５  接着剤
１０  光軸
１１、１１１、１１２、１１３  角錐体
１５  テーパ面
２１、２２  レンズ
２１ｂ、２２ｂ  外周面
２４ｂ、２４ｄ  内周面
３１ａ、３２ａ、４１ａ、４２ａ  外周面（テーパ面）
４５  内面（テーパ面）
４６、４７  注入孔
【図１】
2006084621.tif 000003
【図２】
2006084621.tif 000004
【図３】
2006084621.tif 000005
【図４】
2006084621.tif 000006
【図５】
2006084621.tif 000007
【図６】
2006084621.tif 000008
【図７】
2006084621.tif 000009